(57)【要約】  ワークピースに所定の溝幅の溝を切削する方法であって、周面（３１）を有する金属ワークピース（１８）を提供するステップと、一定の又は実質的に一定のブレード幅（１３）を有するブレード部（２）と、主切れ刃（１１）によって画定される最大インサート幅（１４）を有するインサート（３）とを備える溝削りツール（１）を提供するステップと、ブレード幅（１３）より大きいインサート幅（１４）を選択するステップと、機械ツールの機械インターフェース（１９）に溝削りツール（１）を接続させるステップと、ワークピース（１８）をその回転軸（Ａ）の周りで回転方向（２４）に回転させるステップと、溝幅がインサート幅（１４）と等しくなるように又は実質的に等しくなるように、また接線切削力（３７）が機械インターフェース（１９）の方へ、又は実質的に機械インターフェース（１９）の方へ向けられるように、ツール（１）を送り方向（１５）にワークピース（１８）の回転軸（Ａ）の方へ移動させることによって、ワークピース（１８）に溝（３３）を切削するステップとを含む。【選択図】図９
2020506075.tif 000002
【特許請求の範囲】
【請求項１】
ワークピースに所定の溝幅の溝を切削する方法であって、
周面（３１）を有する金属ワークピース（１８）を提供するステップと、
一定の又は実質的に一定のブレード幅（１３）を有するブレード部（２）と、主切れ刃（１１）によって画定される最大インサート幅（１４）を有するインサート（３）とを備える溝削りツール（１）を提供するステップと、
前記ブレード幅（１３）より大きい前記インサート幅（１４）を選択するステップと、
機械ツールの機械インターフェース（１９）に前記溝削りツール（１）を接続させるステップと、
前記ワークピース（１８）をその回転軸（Ａ）の周りで回転方向（２４）に回転させるステップと、
前記溝幅が前記インサート幅（１４）と等しくなるように又は実質的に等しくなるように、また、接線切削力（３７）が前記機械インターフェース（１９）の方へ、又は実質的に前記機械インターフェース（１９）の方へ向けられるように、前記ツール（１）を送り方向（１５）に前記ワークピース（１８）の前記回転軸（Ａ）の方へ移動させることによって、前記ワークピース（１８）に溝（３３）を切削するステップと
を含む方法。
【請求項２】
前記主切れ刃（１１）が前記回転軸（Ａ）と交差するように又は実質的に交差するように前記ツール（１）を移動させる更なるステップを含む、請求項１に記載の方法。
【請求項３】
前記主切れ刃（１１）が直線経路に沿って前記回転軸（Ａ）の方へ移動するように前記ツール（１）を移動させる更なるステップを含む、請求項１又は２に記載の方法。
【請求項４】
溝（３３）の第１及び第２の側面（３４、３５）が形成されるように、また前記溝（３３）の前記第１及び第２の側面（３４、３５）が前記回転軸（Ａ）に対して直角をなすように、また前記第１及び第２の側面（３４、３５）の間の距離が前記インサート幅（１４）と等しくなるように、前記溝（３３）を切削する更なるステップを含む、請求項１から３のいずれか一項に記載の方法。
【請求項５】
上面（２６）及び対向する底面（２７）と、前面（２８）及び対向する後面（２９）と、第１の側面（３９）及び対向する第２の側面（４０）とを含む前記インサート（３）を選択する更なるステップと、
前記前面（２８）が前記送り方向（１５）に向くように、また前記底面（２７）が前記機械インターフェース（１９）の方に向くように、前記インサート（３）を位置づけする更なるステップと、
前記主切れ刃（１１）が前記前面（２８）と前記上面（２６）との間の交点に沿って形成されるように、前記インサート（３）を配置する更なるステップと、
前記前面（２８）と前記後面（２９）との間の距離が前記ワークピース（１８）の前記周面（３１）から前記回転軸（Ａ）までの距離よりも小さくなるように、前記インサート（３）を選択する更なるステップと
を含む、請求項１から４のいずれか一項に記載の方法。
【請求項６】
前記インサート（３）が前記溝（３３）内部に完全に入るように、前記溝削りツール（１）を移動させる更なるステップを含む、請求項１から５のいずれか一項に記載の方法。
【請求項７】
前記ブレード部（２）の第２の中央平面（４２）が前記回転軸（Ａ）のより近くに移動するように、前記溝削りツール（１）を移動させる更なるステップを含み、前記ブレード部（２）の前記第２の中央平面（４２）は、対向する第３及び第４の面（８、９）の間で等距離にある又は実質的に等距離にある、請求項１から６のいずれか一項に記載の方法。
【請求項８】
前記主切れ刃（１１）が前記回転軸（Ａ）に平行になるように又は実質的に平行になるように、前記溝削りツール（１）を配置する更なるステップを含む、請求項１から７のいずれか一項に記載の方法。
【請求項９】
前記ブレード部（２）が第２の方向よりも前記接線切削力（３７）に平行な第１の方向に細長くなるように、前記溝削りツール（１）を配置する更なるステップを含み、前記第２の方向は、前記接線切削力（３７）に対して直角をなし、前記回転軸（Ａ）に対して直角をなしている、請求項１から８のいずれか一項に記載の方法。
【請求項１０】
前記ブレード部（２）が、
対向する第１及び第２の面（４、５）であって、前記ブレード幅（１３）が前記第１及び第２の面（４、５）との間の最短距離として定義される、対向する第１及び第２の面（４、５）と、
対向する第３及び第４の面（８、９）と、
第５の面（６）及び対向するブレード部端部（７）であって、前記ブレード幅（１３）が前記第５の面（６）から前記ブレード部端部（７）まで一定である又は実質的に一定である、第５の面（６）及び対向するブレード部端部（７）と、
前記第３の面（８）と前記第５の面（６）とを分離させるインサート座（１０）と
を含む、前記溝削りツール（１）を選択する更なるステップと、
前記インサート（３）がスクイ面（１２）と主逃げ面（２５）とを含む、前記溝削りツール（１）を選択する更なるステップと、
前記主逃げ面（２５）と前記第３の面（８）とが同じ方向（１５）に向くように、前記インサート（３）を前記インサート座（１０）に位置づけする更なるステップと、
前記第５の面（６）から前記対向するブレード部端部（７）までの最短距離（１６）が、前記第３の面（８）から前記第４の面（９）までの最短距離（１７）より大きくなるように、前記ブレード部（２）を配置する更なるステップと
を含む、請求項１から９のいずれか一項に記載の方法。
【請求項１１】
機械インターフェース（１９）に接続させるのに好適な連結部（３２）を備える前記溝削りツール（１）を選択する更なるステップと、
前記連結部（３２）を機械ツールの機械インターフェース（１９）に接続させる更なるステップと
を含む、請求項１から１０のいずれか一項に記載の方法。
【請求項１２】
機械インターフェース（１９）に接続させるのに好適な連結部（３２）を含む前記溝削りツール（１）を選択する更なるステップと、
前記連結部（３２）を、コンピュータ数値制御施盤の機械インターフェース（１９）に接続させる更なるステップと
を含む、請求項１から１０のいずれか一項に記載の方法。
【請求項１３】
ツールブロック（３０）を備える前記溝削りツール（１）を選択する更なるステップと、
機械インターフェース（１９）に接続させるのに好適な連結部（３２）を前記ツールブロック（３０）が含むように前記ツールブロック（３０）を配置する更なるステップと、
前記連結部（３２）と前記ブレード部（２）との間の距離を連続範囲にわたって選択することができるように前記溝削りツール（１）を配置する更なるステップと
を含む、請求項１から１２のいずれか一項に記載の方法。
【請求項１４】
前記ブレード部（２）が対向し且つ平行な第３及び第４の面（８、９）を含む前記溝削りツール（１）を選択する更なるステップを含む、請求項１から１３のいずれか一項に記載の方法。
【請求項１５】
請求項１から１４のいずれか一項に記載の方法において使用される、インサート（３）。
【請求項１６】
コンピュータ数値制御施盤によって実行されると、前記コンピュータ数値制御施盤に請求項１から１４のいずれか一項に記載の方法を実施させる命令を有する、コンピュータプログラム。
【請求項１７】
請求項１６に記載のコンピュータプログラムが記憶されている、コンピュータ可読媒体。
【請求項１８】
請求項１６に記載のコンピュータプログラムを表示する、データストリーム。
【発明の詳細な説明】
【技術分野】
【０００１】
本発明は、金属切削ツールの技術分野に属する。より具体的には、本発明は、ワークピースに所定の溝幅の溝を切削する方法の分野に属し、上記機械加工は、コンピュータ又はコンピュータ化された数値制御機械、すなわちＣＮＣ機械を使用して行われうる。
【背景技術】
【０００２】
本発明は、ワークピースに所定の溝幅の溝を切削する方法を参照する。より具体的には、本発明は、交換可能な切削インサート、より具体的には分断、切取り又は溝削りインサートを備える切削ツールを使用した施削方法に関する。
【０００３】
金属切削切断、切取り、又は深い溝削りは、難しい工程として長く知られてきた。１つの問題としてチップのつまりが知られている。他の１つの問題は振動であり、振動はとりわけ、ツール破壊の危険性、及び不十分な表面仕上げの原因である。上記工程及び切削ツールは例えば、ＵＳ５１３５３３６に記載されている（図４）。したがって、切断又は深い溝削り工程における振動を低減させることが長年必要とされてきた。
【発明の概要】
【０００４】
本発明者らは、深い溝削り又は切断における振動の危険性を低減するために、改善された方法の必要性があることを発見した。本発明者らは、最新式の方法については、切削中の切削ツールの偏向が原因で振動が起こりうることを発見した。
【０００５】
本発明の目的は、振動を低減させる、ワークピースに所定の溝幅の溝を切削する方法を提供することである。
【０００６】
この目的は、周面を有する金属ワークピースを提供するステップと、一定の又は実質的に一定のブレード幅を有するブレード部と、主切れ刃によって画定される最大インサート幅とを有するインサートを備える溝削りツールを提供するステップと、ブレード幅より大きいインサート幅を選択するステップと、機械ツールの機械インターフェースに溝削りツールを接続させるステップと、ワークピースをその回転軸の周りで回転方向に回転させるステップと、溝幅がインサート幅と等しくなるように又は実質的に等しくなるように、また、接線切削力が機械インターフェースの方へ、又は実質的に機械インターフェースの方へ向けられるように、ツールを送り方向にワークピースの回転軸の方へ移動させることによって、ワークピースに溝を切削するステップとを含む方法で達成される。
【０００７】
上記方法により、深い溝削り又は切断の最中の振動の危険性が低減しうる。別の効果は、送り速度の増加、より小さいインサート幅の選択、面仕上げの向上、及び挿入摩耗の削減の可能性でありうる。上記方法により、特に溝削りツールのオーバーハング又は最大溝深さが大きいときの切断中のインサートの偏向が低減しうる。比較実験又は計算により、偏向が６分の１に減った例が示されている。上記方法は、好ましくはマルチタスク機又はミルターン（ｍｉｌｌ  ｔｕｒｎ）機等の、ｙ軸機能を有する機械ツール又はコンピュータ（又はコンピュータ化された）数値制御（ＣＮＣ）機械で使用される。
【０００８】
ワークピースに所定の溝幅の溝を切削する方法は、施削方法、すなわち、ワークピースが回転軸の周囲で回転し、厳密に１つのインサートにより材料が切削される方法である。形成された溝は、回転軸に対して直角をなしている。あるいは、切断工程において、ワークピースが２つに分割されるまで溝が形成される。
【０００９】
鋼鉄からできたワークピース等の、周面又は外面を有する金属ワークピースが提供される。金属ワークピースは、回転軸と一致する中心軸に対して円筒形であってよい、又は対称的であってよい。周面は、好ましくは一定の又は実質的に一定の直径で形成されている。
【００１０】
回転軸は、好ましくは水平であってよい。あるいは、例えば機械のタイプによって、回転軸は垂直であってもよい。あるいは、好ましくはないが、回転軸は他のいずれかの角度を有する場合がある。
【００１１】
好ましくは１．０〜２０．０ｍｍの範囲内、また更に好ましくは１．５〜１２．０ｍｍの範囲内の一定の又は実質的に一定のブレード幅を有するブレード部と、主切れ刃によって画定される最大インサート幅を有するインサートとを備える溝削りツール、又は溝削りあるいは切断に好適なツールが提供される。
【００１２】
ブレード部は、単一本体、実体又は装置であってよい。あるいは、ブレード部は、単一本体、実体又は装置の部品又は一部であってよい。
【００１３】
インサートは好ましくは、超硬合金、サーメット又はセラミック、又はこのような材料の組み合わせ等、ブレード部よりも耐摩耗性の高い材料からできている。ブレード部は、好ましくは鋼鉄からできている。
【００１４】
主切れ刃により、インサート幅が画定される。溝削りにおいて、溝幅はインサート幅、すなわち主切れ刃の幅に等しい。主切れ刃はインサートの最も幅が広い部分である、つまり、主切れ刃の対向する終点を接続している直線は、全ての平行線と等しい長さである、又は好ましくはそれよりも長いものであり、全ての平行線はその終点でインサートと交差している。
【００１５】
インサート幅はブレード幅よりも大きい。インサート幅は、好ましくはブレード幅よりも１〜２５％広く、また更に好ましくは５〜１５％広い。インサート幅とブレード幅は平行線に沿って測定される。
【００１６】
溝削りツールは、好ましくはインサート全体が溝内部に入ることができるように溝削り工程が実施されうるように、配置される。
【００１７】
溝削りツールは、好ましくは連結部を用いることによって、機械ツールの機械インターフェースに直接又は間接的に接続される又はクランプ留めされられる。連結部は、回転施盤等の施削及び溝削りに使用することができる機械ツール、マルチタスク機械、施削機械、又は摺動ヘッド機械に接続させるのに好適である。機械ツールは、好ましくはＣＮＣ機械、すなわちコンピュータまたはコンピュータ化された数値制御機械である。連結部は、機械スピンドル又はツールリボルバータレット又は刃物台の形態であってよい機械インターフェースに接続させるのに好適である。連結部は、四角形又は三角形の断面を有していてよい。連結部は、好ましくはＩＳＯ規格２６６２３−１等による円錐形又は実質的に円錐形であってよい。
【００１８】
ワークピースは、好ましくは機械ツールの部品であるモータによって、その回転軸の周りで回転方向に回転する又は駆動される。ワークピース内の溝は、切削によって形成される。ツールは、径方向の送りを通して送り方向に、ワークピースの回転軸の方へ移動する。ワークピースに対するツールの移動は、好ましくは線形又は直線である。径方向の送りは、好ましくは０．０５〜０．５０ｍｍ／回転の範囲内である。径方向の送りは、切削中は一定であってよい。あるいは、径方向の送りは変化してよく、好ましくは切断端部において減速される。送り方向は、回転軸に対して直角をなしている。
【００１９】
溝幅は、インサート幅と等しい又は実質的に等しい、すなわちインサート幅によって決定される。主切れ刃は、好ましくは回転軸に平行である。主切れ刃は、好ましくは回転軸に平行である。あるいは、主切れ刃は、回転軸に対して２０度未満の角度、また更に好ましくは１０度未満の角度を形成している。主切れ刃は、直線又は線形であってよい。あるいは、主切れ刃は、前面に中央くぼみ部を含みうる。
【００２０】
接線切削力、又は主切削力は、機械インターフェースの方へ又は実質的に機械インターフェースの方へ向けられる。径方向切削力又は送り力は、送り方向とは反対の方向又は実質的に反対の方向へ向けられる。径方向切削力又は送り力は、接線又は主切削力に対して直角に又は実質的に直角に向けられる。
【００２１】
ツールは、主切れ刃が回転軸と交差する又は実質的に交差するように移動させることができる。あるいは、ツールは、主切れ刃の前に径方向送り停止部が回転軸に到達しているように移動させることができる。
【００２２】
一実施形態によれば、係る方法は、主切れ刃が回転軸と交差する又は実質的に交差するように、ツールを移動させる更なるステップを含む。
【００２３】
上記方法によって、ワークピースが棒状である場合又はワークピースが送り方向と交差する中央孔を含まない形状である場合に、分断又は切断工程を実施することができる。
【００２４】
主切れ刃は、主切れ刃が回転軸と交差する又は実質的に交差するように、すなわち回転軸から２．０ｍｍ以内又はより好ましくは２．０ｍｍ以内にあるように移動する。
【００２５】
一実施形態によれば、係る方法は、主切れ刃が直線経路に沿って回転軸の方へ移動するようにツールを移動させる更なるステップを含む。
【００２６】
上記方法により、本方法のプログラミングを短時間で行うことができる。
【００２７】
一実施形態によれば、係る方法は、溝の第１及び第２の側面が形成されるように、また溝の第１及び第２の側面が回転軸に対して直角をなすように、また第１及び第２の側面の間の距離がインサート幅と等しくなるように、溝を切削する更なるステップを含む。
【００２８】
本方法によって形成された溝はしたがって、溝の第１及び第２の側面又は壁面が形成されたものとなる。溝の第１及び第２の側面は、回転軸に対して直角をなす平行平面に位置しているあるいは延びている。第１及び第２の側面の間の最短距離は、インサート幅と等しい。溝は、溝の第１及び第２の側面と底面とによって限定される。溝の底面により、溝の第１及び第２の側面が接続される。溝は、溝の底部の反対の方向に開いている。機械加工又は切削中に、分断又は切断工程が実施されたとしても、溝は形成される。
【００２９】
一実施形態によれば、係る方法は、上面及び対向する底面と、前面及び対向する後面と、第１の側面及び対向する第２の側面とを含むインサートを選択する更なるステップと、前面が送り方向に向くように、また底面が機械インターフェースに向くように、インサートを位置づけする更なるステップと、主切れ刃が、前面と上面との間の交点に沿って形成されるように、インサートを配置する更なるステップと、前面と後面との間の距離がワークピースの周面から回転軸までの距離よりも小さくなるように、インサートを選択する更なるステップとを含む。
【００３０】
インサートはしたがって上面を含み、上面は、スクイ面及び好ましくはチップ破砕又はチップ制御手段と、対向する底面とを含む。上面は、機械インターフェースから離れる方に向いている。底面は、機械インターフェースの方に向いている。更にインサートは、送り方向及び溝の底面に向いている前面と、対向する後面とを含む。主切れ刃は、インサートの上面と前面との間の交点又は境界に形成されている。インサートは更に、第１の側面と、対向する第２の側面とを含む。インサートの第１の側面は、溝の第１の側面に向いている。第２の側面は、溝の第２の側面に向いている。
【００３１】
一実施形態によれば、係る方法は、インサートが溝内部に完全に入るように、溝削りツールを移動させる更なるステップを含む。
【００３２】
上記方法により、深い溝削りが実施されうる。
【００３３】
一実施形態によれば、係る方法は、ブレード部の第２の中央平面が回転軸のより近くに移動するように、溝削りツールを移動させる更なるステップを含み、ブレード部の第２の中央平面は、対向する第３及び第４の面の間で等距離に又は実質的に等距離にある。
【００３４】
一実施形態によれば、係る方法は、主切れ刃が回転軸に平行又は実質的に平行になるように、溝削りツールを配置する更なるステップを含む。
【００３５】
主切れ刃が回転軸に平行なところから＋／−１５度以内である場合、主切れ刃は回転軸に実質的に平行である。
【００３６】
一実施形態によれば、係る方法は、ブレード部が第２の方向よりも接線切削力に平行な第１の方向に細長くなるように、溝削りツールを配置する更なるステップを含み、第２の方向は、接線切削力に対して直角をなし、回転軸に対して直角をなしている。
【００３７】
上記方法により、ブレード部に重量が加わることなく振動が削減されうる。
【００３８】
一実施形態によれば、係る方法は、ブレード部が、
対向する第１及び第２の面であって、ブレード幅が第１及び第２の面との間の最短距離として定義される、対向する第１及び第２の面と、
対向する第３及び第４の面と、
第５の面及び対向するブレード部端部であって、ブレード幅が第５の面からブレード部端部まで一定又は実質的に一定である、第５の面及び対向するブレード部端部と、
第３の面と第５の面とを分離させるインサート座と
を含む、溝削りツールを選択する更なるステップと、
インサートがスクイ面と主逃げ面とを含む、溝削りツールを選択することと、
主逃げ面と第３の面とが同じ方向に向くように、インサートをインサート座に位置づけする更なるステップと、
第５の面から対向するブレード部端部までの最短距離が第３の面から第４の面までの最短距離より大きくなるように、ブレード部を配置する更なるステップとを含む。
【００３９】
一実施形態によれば、本方法は、機械インターフェースに接続させるのに好適な連結部を備える溝削りツールを選択する更なるステップと、連結部を機械ツールの機械インターフェースに接続させる更なるステップとを含む。
【００４０】
一実施形態によれば、本方法は、機械インターフェースに接続させるのに好適な連結部を備える溝削りツールを選択する更なるステップと、連結部をコンピュータ数値制御施盤の機械インターフェースに接続させる更なるステップとを含む。
【００４１】
コンピュータ化された数値制御施盤としても知られるコンピュータ数値制御施盤、又はＣＮＣ施盤は、施削に使用されうる機械ツールであり、溝削りツール等の施削ツールの移動は、コンピュータプログラムによって制御される。
【００４２】
一実施形態によれば、本方法は、ツールブロックを備える溝削りツールを選択する更なるステップと、機械インターフェースに接続させるのに好適な連結部をツールブロックが含むようにツールブロックを配置する更なるステップと、連結部とブレード部との間の距離を連続範囲にわたって選択することができるように溝削りツールを配置する更なるステップとを含む。
【００４３】
上記方法により、ブレードのオーバーハングをある距離の範囲にわたって選択することが可能であり、これは、例えば異なる直径を有するワークピースが切削される場合に好都合である。上記の場合、ブレードのオーバーハングは、各ワークピースに対して必要なだけ小さくなるように選択することができる。
【００４４】
オーバーハングは、主切れ刃と、ツールブロックの最も近い干渉部との間の距離として定義される。つまり、オーバーハングは、最大溝深さを画定するということである。
【００４５】
連結部とブレード部との間の距離は、連続範囲にわたって選択することができ、これは、好ましくはブレード部がクランプ留めされていない状態でツールブロック内を直線的に摺動可能となるようにすることによって実現される。ツールブロックは、好ましくはブレード部がツールブロックに二者択一的にクランプ留めされ、またクランプ解除されることを可能にするクランプ手段を含む。ツールブロック内のブレード部の直線的に摺動可能な方向は、好ましくは機械インターフェースの方である。
【００４６】
一実施形態によれば、本方法は、ブレード部が対向し且つ平行な第３及び第４の面を含む溝削りツールを選択する更なるステップを含む。
【００４７】
ブレード部の第３及び第４の面を平行に配置することによって、ブレード部が改善された方法でツールブロック内を摺動可能となりうる。
【００４８】
好ましくは第３及び第４の面は、クランプ面である。つまり、好ましくは第３及び第４の面は、ツールブロックのクランプ手段と接触する。
【００４９】
本発明の一態様は、本方法において使用されるインサートに関するものである。
【００５０】
本発明の一態様によれば、コンピュータプログラムは、コンピュータ数値制御施盤によって実行されると、コンピュータ数値制御施盤に本方法を実施させる命令を有する。
【００５１】
本発明の一態様によれば、コンピュータ可読媒体には、コンピュータプログラムが記憶されている。
【００５２】
本発明の一態様によれば、データストリームは、コンピュータプログラムを表示したものである。
【００５３】
ここで、本発明の異なる実施形態の記載によって、また添付の図面を参照することによって、本発明を更に詳細に説明する。
【図面の簡単な説明】
【００５４】
【図１】ブレード部とインサートとを含む、最新式の溝削りツールの斜視図である。
【図２】図１のブレード部の側面図である。
【図３】図２のブレード部の上面図である。
【図４】図１の溝削りツールを使用した、最新式の機械加工方法の側面図である。
【図５】ブレードを備える第１のタイプの溝削りツールを使用した、第１の実施形態に係る機械加工方法の側面図である。
【図６】図５のブレード部の側面図である。
【図７】図６のブレード部の前面図である。
【図８】図６の区分Ｂ−Ｂの図である。
【図９】第１のタイプに係るブレード部を使用した機械加工方法の上面図である。
【図１０】第２のタイプに係る溝削りツールの側面図である。
【図１１】図１０の溝削りツールの前面図である。
【図１２】図１０の溝削りツールの斜視図である。
【図１３】第３のタイプに係る溝削りツールの側面図である。
【図１４】図１３の溝削りツールの前面図である。
【図１５】図１３の溝削りツールの斜視図である。
【図１６】第４のタイプに係る、溝削りツール部分の側面図である。
【図１７】図１６の溝削りツール部分の前面図である。
【図１８】図１６の溝削りツール部分の斜視図である。
【発明を実施するための形態】
【００５５】
図９以外の図面は全て、正寸で描かれている。
【００５６】
最新式の溝削りツール１、最新式のブレード部２、ブレード部２のインサート座１０に装着された最新式のインサート３を示す図１〜４を参照する。溝削り又は分断又は切取り工程等の切削工程中は、溝削りツール１は機械インターフェース１９に接続され、送り方向１５に金属ワークピース１８の回転軸Ａの方へ移動する。ワークピース１８は、その回転軸Ａの周囲で回転方向２４に回転する。インサート３の主切れ刃１１により、ワークピース１８の周面３１に溝が切削される。接線切削力（図示せず）は、図４において下向きに向けられている。
【００５７】
ここで、第１のタイプに係るブレード部２と、一実施形態に係る方法とを示す図５〜９を参照する。溝削りツール１は、一定の又は実質的に一定のブレード幅１３を有するブレード部２と、主切れ刃１１によって画定される最大インサート幅１４を有するインサート３とを備える。インサート幅１４は、ブレード幅１３よりも大きい。溝削りツール１は、ツールブロック３０を備える。溝削りツール１は、機械ツール（図示せず）の機械インターフェース１９に接続される。より正確には、ツールブロック３０は、機械インターフェース１９に接続された連結部３２を含む。
【００５８】
ブレード部２は、対向する第１及び第２の面４、５を含む。ブレード幅１３は、第１及び第２の面４、５の間の最短距離として定義される。ブレード部２は、対向する第３及び第４の面８、９を含む。ブレード部は、第５の面６及び対向するブレード部端部７を含む。ブレード幅１３は、第５の面６からブレード部端部７まで一定又は実質的に一定である。第５の面６から対向するブレード部端部７までの最短距離１６は、第３の面８から第４の面９までの最短距離１７よりも大きい。ブレード部端部７は、ブレード部端面７である。ブレード部２は、対向する第１及び第２の面４、５、対向する第３及び第４の面８、９、並びに対向する第５の面及びブレード部端面６、７によって限定される単一本体である。第５の面６から対向するブレード部端部７までの距離１６は、第３の面８から第４の面９までの距離１７よりも３〜８倍大きい。第３の面８から第４の面９までの距離１７は、ブレード幅１３よりも５〜２０倍大きい。対向する第１及び第２の面４、５は、平行又は実質的に平行である。インサート座１０は、ブレード部２固有の弾性を利用してインサート３がインサート座１０にクランプ留めされるように、配置される。
【００５９】
対向する第３及び第４の面８、９は、図６に示すように側面図において、平行又は実質的に平行である。例えば図８に示すように、第３の面８は第６の面２０と第７の面２１とを含み、第４の面９は第８の面２２と第９の面２３とを含む。第６の面２０と第７の面２１は断面において、対向する第１及び第２の面４、５の間で等距離に位置する第１の中央平面４１の方へ収束する。第８の面２２と第９の面２３は断面において、第１の中央平面４１の方へ収束する。第３及び第４の面８、９の間の距離は、第１の中央平面４１で最大である。
【００６０】
インサート座１０により、第３の面８と第５の面６とが分離される。ブレード部２の第２の中央平面４２は、対向する第３及び第４の面８、９の間で等距離又は実質的に等距離にある。
【００６１】
インサート３は、主切れ刃１１と、関連するスクイ面１２と、関連する主逃げ面２５とを含む。主切れ刃１１により、インサート幅１４が画定される。インサート幅１４は、ブレード幅１３よりも大きい。インサート３は、上面２６及び対向する底面２７、前面２８及び対向する後面２９、第１の側面３９及び対向する第２の側面４０を含む。上面２６は、スクイ面を含む。前面２８は、主逃げ面２５を含む。
【００６２】
インサート３は、インサート座１０に取り外し可能にクランプ留めされる、着座させられる又は装着される。インサート３がインサート座１０に装着されると、主逃げ面２５と第３の面８とは同じ方向１５、すなわち送り方向１５に向く。インサート３の主逃げ面２５とブレード部の第３の面８とは、同じ方向１５又は実質的に同じ方向１５に向いている。インサート３がインサート座１０に装着されると、底面２７の一部と後面２９の一部がインサート座１０に接触する。第２の中央平面４２に平行な平面は、インサート３の上面及び底面２６、２７と交差する。インサート３がインサート座１０に装着されると、主切れ刃１１は、第１の中央平面４１に対して対称的に、対向する第１及び第２の面４、５の間で等距離又は実質的に等距離に配置され、第５の面６は、連結部３２に対して反対の方向に向く。
【００６３】
ブレード部２の第３の面８の一部と第４の面９の一部は、ツールブロック３０と接触している。ブレード部２は、連結部３２とブレード部２との間の距離を連続範囲にわたって選択することができるように、ツールブロック３０にクランプ留め可能である。
【００６４】
図５及び９に示すように、周面３１を有する金属ワークピース１８は、その回転軸Ａの周りを回転方向２４に回転する。
【００６５】
ツール１を送り方向１５にワークピース１８の回転軸Ａの方へ移動させることによって、ワークピース１８に、インサート幅１４と等しい所定の溝幅又は主切れ刃１１の幅を有する溝３３が切削される。溝幅は、インサート幅１４と等しい又は実質的に等しい。接線切削力３７は、機械インターフェース１９の方へ又は実質的に機械インターフェース１９の方へ向けられる。径方向切削力３８は、送り方向１５とは反対の方向へ向けられる。
【００６６】
例えば固形の棒状ワークピース１８の切断又は切削において、溝削りツール１の送りは、主切れ刃１１が回転軸Ａと交差する又は実質的に交差するように続けられる。図９は、実際の切断前の状況、主切れ刃１１がまだ回転軸Ａと交差しておらず、溝３３の底面３６が溝３３の第１及び第２の側面３４、３５と接続している状況を示しうる。溝３３の第１及び第２の側面３４、３５は、回転軸Ａに対して直角をなしている。第１及び第２の側面３４、３５の間の距離は、インサート幅１４に等しい。切削中、主切れ刃１１は、直線経路に沿って回転軸Ａの方へ移動する。図９では、インサート３は完全に溝３３内部に入っている。切削中、ブレード部２の第２の中央平面４２は、回転軸Ａのより近くに移動する。
【００６７】
切削中、ブレード部２は、接線切削力３７に対して直角をなし且つ回転軸Ａに対して直角をなす第２の方向よりも、接線切削力３７に平行な第１の方向に細長くなっている。
【００６８】
ここで、第２のタイプに係る溝削りツール１を示す図１０〜１２を参照する。ブレード部２は、溝削りツール１の部品である。つまり、ブレード部２は、溝削りツール１の後部に永久接続され、後部は連結部３２を含み、連結部３２は円錐形であり、機械インターフェース１９に接続可能である。ブレード部の後端部７はしたがって、後端面の形態ではなく、ブレード幅１３を有するブレード部２と、ブレード幅より大きい幅を有する後部とを分離する境界の形態である。ブレード部２はしたがって、第１のタイプのようにツールブロック内で移動可能ではない。したがって、第２のタイプによれば、最大溝幅が固定される。第５の面６から対向するブレード部端部７までの距離１６は、第３の面８から第４の面９までの距離１７よりも約１０〜５０％大きい。他のすべての実体のある態様において、ブレード部２は、第１のタイプに係るブレード部と同様の又は同一のものである。インサート３は、上述したインサート３と同一のものである。溝削りツール２を、上述した方法において使用することができる。
【００６９】
ここで、第３のタイプに係る溝削りツール１を示す図１３〜１５を参照する。第３のタイプに係る溝削りツール１は、連結部がシャンクタイプであることのみ又はスクエアシャンクタイプであることのみが、第２のタイプに係る溝削りツール１と異なっている。つまり、連結部３２は、断面が四角形又は三角形の形であるということである。連結部３２はまた、連結部３２が接続される機械インターフェース１９の形状によって他の形状も有しうる。
【００７０】
ここで、第４のタイプに係る溝削りツール部分を示す図１３〜１５を参照する。溝削りツール部分は、タイプ２及び３に記載のブレード部２を備える。溝削りツール部分は、機械インターフェース１９に接続可能な第２の又は後部の又は中間の溝削りツール部分（図示せず）に接続可能である。
【００７１】
記載したように、本方法を実施するために、異なるタイプの溝削りツールを使用することが可能である。当業者は、本方法を実施するために使用可能な、ブレード部を備える他の溝削りツールを見つけることもできる。
【００７２】
機械ツール（図示せず）は、好ましくはコンピュータプログラム、コンピュータ可読媒体あるいはデータストリーム内の命令によって、記載の溝削り又は切削工程を実施するように命令されうる、ＣＮＣ機械である。
【００７３】
本願において、「含む（ｉｎｃｌｕｄｉｎｇ）」等の語の使用には制限がなく、「備える、含む（ｃｏｍｐｒｉｓｉｎｇ）」等の語と同じ意味を有するものとし、他の構造体、材料又は作動の存在を排除するものではない。同様に、「可能、できる（ｃａｎ）」又は「であってよい、場合もある（ｍａｙ）」等の語の使用には制限がなく、その構造体、材料、又は作動が必要でないことを表すものであるが、上記語を使用しないからといって、その構造体、材料又は作動が必須であることを表しているわけではない。その構造体、材料、又は作動が現時点で必須と考えられる範囲内では、それらはそのように識別される。「上方（ｕｐｐｅｒ）」、「下方（ｌｏｗｅｒ）」、「上部（ｔｏｐ）」、「底部（ｂｏｔｔｏｍ）」、「前方（ｆｏｒｗａｒｄ）」及び「後方（ｒｅａｒ）」等の語は、現行の図面に示され、当業者によって認知される特徴を指すものである。
【図１】
2020506075.tif 000003
【図２】
2020506075.tif 000004
【図３】
2020506075.tif 000005
【図４】
2020506075.tif 000006
【図５】
2020506075.tif 000007
【図６】
2020506075.tif 000008
【図７】
2020506075.tif 000009
【図８】
2020506075.tif 000010
【図９】
2020506075.tif 000011
【図１０】
2020506075.tif 000012
【図１１】
2020506075.tif 000013
【図１２】
2020506075.tif 000014
【図１３】
2020506075.tif 000015
【図１４】
2020506075.tif 000016
【図１５】
2020506075.tif 000017
【図１６】
2020506075.tif 000018
【図１７】
2020506075.tif 000019
【図１８】
2020506075.tif 000020
【国際調査報告】
2020506075.tif 000021
2020506075.tif 000022
2020506075.tif 000023